(57)【要約】【課題】  竪どいの途中から雨水をそのまま取水・利用する装置はゴミが多く、利用は庭の散水や打ち水に限られていた。またフィルターをつけた装置はゴミが詰まって雨水があふれ出すものや、フィルターにゴミがたまり、そのゴミがあとから降り続く雨を汚していた。本発明は雨水を取水するときに汚れを生じさせず、簡単にゴミの除去及び濾過ができ、目詰まりが起こらなくしたものである【解決手段】  本発明の雨水利用装置は初期雨水貯留部と雨水利用部からなり、降雨初期の汚れの多い雨水を初期雨水貯留筒に集め、そのあとの雨水を雨水利用部で除塵・濾過すること。及び雨水利用部の上筒と下筒が分離できる事により、清掃や濾材交換を容易にしたものである。【選択図】  図１
2011202388.tif 000002
【特許請求の範囲】
【請求項１】
雨水利用部と初期雨水貯留部を備え、雨水利用部には接合分離可能な上筒および下筒を有し、上筒と下筒の接合部にドーム状の網が設置されるとともに上記上筒と下筒を分離したときに同時に上記ドーム状の網は分離可能に構成され、さらに下筒に濾過フィルターを設け、濾過フィルターの下流部から利用すべき雨水を取り出すようにした雨水利用装置
【請求項２】
雨水流入口の上流部に初期雨水を初期雨水貯留部に導き、初期雨水が一定量に達した場合に雨水を上記雨水流入口に供給する分岐部を設けた請求項１記載の雨水利用装置
【請求項３】
濾過フィルターには粒状活性炭よりなる第一の層と第一の層の上部に配置された粒の大きい活性炭よりなる第二の層を備えた請求項１記載の雨水利用装置
【請求項４】
下筒の外側に上筒が重なるように配置され、ドーム状の網の周辺部が下筒の上端部で支持されるように構成した請求項１記載の雨水利用装置
【発明の詳細な説明】
【技術分野】
【０００１】
本発明は雨水を利用するため竪どいの途中から雨水を取り出して雨水に含まれるゴミや土砂などを除去して雨水を利用できるようにした雨水利用装置に関するものである
【背景技術】
【０００２】
竪どいの途中から雨水を取水・利用する装置は雨水をそのまま取水する装置及びフィルターをつけたものが一般的であった。
【０００３】
これらの装置で雨水をそのまま取水する装置はゴミが多く、利用は庭の散水や打ち水に限られていた。またフィルターをつけた装置はゴミが詰まって雨水があふれ出るものやフィルターにゴミがたまり、そのゴミが後から降り続く雨を汚していた。
【０００４】
上記の問題を解決しようと竪どいの途中を切断し、その直下に少しの空間を設け半球上のフィルターをつけた装置もあったが、球形状フィルターの球形面で竪どいからのゴミを除去すると同時に雨水もかなり除外されるという欠点があった。
【先行技術文献】
【特許文献】
【０００５】
【特許文献１】特開平11-131537号公報
【発明の概要】
【発明が解決しようとする課題】
【０００６】
本発明は建物の屋根に降った初期の土塊・落ち葉などのゴミを多量に含む初期雨水を分離し貯留すると共に、初期雨水分離後の雨水を取水しようとする時に汚れを生じさせず、簡単にゴミの除去及び濾過ができ、目詰まりが起こりにくい雨水利用装置を提供するものである。
【課題を解決するための手段】
【０００７】
本発明は雨水利用部と初期雨水貯留部を備え、雨水利用部には接合分離可能な上筒及び下筒を有し、上筒と下筒の接合部にドーム状の網が設置されるとともに上記上筒と下筒を分離した時に同時に上記ドーム状の網は分離可能に構成され、さらに下筒に濾過フィルターを設け、濾過フィルターの下流部から利用すべき雨水を取り出すようにした雨水利用装置である。
【発明の効果】
【０００８】
本発明の雨水利用装置は初期雨水貯留部の初期雨水貯留筒に汚れの多い初期雨水が貯留され、この水は庭の散水や打ち水に利用できる。      
【０００９】
本発明の雨水利用部は初期雨水貯留後の雨水をドーム状の網で除塵し、濾過フィルターで濾過するので良質な水を簡単に得ることができる。この雨水は水洗トイレや雑水として利用できる。個々の家庭の水道代の節約に果たす役割は大きい。また防災面から防火用水・災害時の非常用水としても利用できる。
【００１０】
ドーム状の網や濾過フィルターは清掃交換が容易であるので目詰まりがない。
【図面の簡単な説明】
【００１１】
【図１】雨水利用装置の側面図
【図２】雨水利用装置の設置例
【図３】雨水利用部の上筒・ドーム状の網・下筒の概念図
【図４】雨水利用部の濾過フィルターの概念図
【発明を実施するための形態】
【００１２】
以下本発明の雨水利用装置を図１に基づいて説明する。本発明の雨水利用装置は初期雨水貯留筒20と雨水利用部１とで構成される。初期雨水貯留筒20は内径１０ｃｍから１８ｃｍで長さ１ｍから２ｍの円筒形の装置である。初期雨水貯留筒20の上流端はT字管19につながるように漸次細くなり、下流端は水栓22取り付けのためこれも漸次細くなっている。初期雨水貯留筒20はゴミを多量に含んだ雨水を雨水利用部1に入る前に一時的に貯留する筒状の装置である。
【００１３】
初期雨水貯留筒20の初期貯留容量は屋根面積×0.5〜1ｍｍ÷竪どいの本数で算出され，その貯留量を許容する貯留筒である。初期雨水貯留筒20の下流端は水栓22があり、常時閉栓している。また初期雨水貯留筒20にはフロート21が内蔵され、初期雨水の流入に伴って上昇し満水時に初期雨水貯留筒20の上流端とT字管19との接点を塞ぐ。  
【００１４】
竪どい2を流れ落ちる雨水は上記のように初期雨水貯留筒20が満水になると初期雨水貯留筒20の上流端が閉じられ、雨水はＴ字管19の横方向の出口から雨水管13−1を通り、雨水利用部１へ流れる。
【００１５】
雨水利用部1は上流端が雨水管13−1に下流端が雨水管13−2につながり、連結部分はそれぞれ雨水管の径に合わせて狭くなっている。また雨水利用部1は内径１２〜１５ｃｍ高さ約50〜60ｃｍの円筒形で中央から上筒１−1と下筒1−2に分かれる。上筒1−1の上流端は雨水管13−1につながるが緊結していない。上筒1−1の上端部の内径は雨水管13−1の外径より少し大きく雨水管13−1を挟みながら上下に移動できる。
【００１６】
上筒1−1の下端部は下筒1−2の上端部に外側から重なるように構成される。図3に示すように下筒1−2の上端から2ｃｍの部分の外周に上筒1−1の下端を受け止める上筒受けリング4が固定されており、上筒1−1を支持するように構成されている。      
【００１７】
上筒1−1はドーム状の網3を筒内に内蔵する。ドーム状の網3は0.5ｍｍメッシュ・高さ約5ｃｍ直径が上筒1−1の内径よりやや小さめであり、網の下端のつば部3−1が下筒１−２の上端外周上に乗る。つば部3−1から下に円筒外径が下筒の内径に等しいぐらいの切り込みを入れたリング3−2がついて下筒1−2の内壁を押さえ固定される。
【００１８】
初期雨水貯留後の雨水は雨水利用部1の上筒1−1に内蔵されているドーム状の網3によって0.5ｍｍ以上のゴミはすべて除去される。除去されたゴミはドーム状の網3のつば3−1の上と上筒1−1の内側に溜まる。除塵された雨水は下筒1−2の濾過フィルター5へ落下する。
【００１９】
下筒1−2は底部に濾過フィルター５を配置し、上筒1−1に内蔵されたドーム状の網３との間は約20〜30ｃｍの空間を保っている。この空間はドーム状の網3と濾過フィルター5の雨水の流下速度の違いによるもので大量降雨時水圧により濾過フィルター5を雨水が通過する。
【００２０】
濾過フィルター５は逆円錐形のバケツ状の容器5−1に複数の濾材を収納したもので上面の面積は底面の面積より少し広い。上面の外径は下筒1−2の内径より僅かに小さい。高さは7〜8ｃｍで濾材は上から順にサランマット7・コーラルサンド8・活性炭9・濾過マット10・粒状ヤシガラ活性炭11・濾紙12が入り、濾紙は容器の内壁にも装着されている。濾材は各地域の特性を考慮して組み合わせを変えることもできる。
【００２１】
図4に示すように容器5−1は上端に持ち手6が付いている。濾材の洗浄や交換をスムーズに行うため、取出しがしやすいようにしている。容器5−1の壁面は上端から15ｍｍのところから直径3ｍｍの孔が5ｍｍ間隔で空いている。また底面も縁より内側1ｃｍのところから円の中心に向かって同じく直径3ｍｍの孔が５ｍｍ間隔に空いている。この無数の孔から濾された雨水が出て行き、雨水管13−2を通って貯水タンク14に導かれる
【００２２】
雨水利用部1は上筒1−1を雨水管13−1に沿って持ち上げるとドーム状の網3が取り出せ、網にひっかかったゴミや土塊をブラシなどで容易に落とせる。また上筒1−1の内壁の点検・清掃や下筒1−2から濾過フィルター5を取り出し、濾材の洗浄交換ができる。
【実施例１】
【００２３】
図２より屋根16に降った雨水は樋17に流れ、竪どい2から落ち葉や土塊などのゴミを多量に含んだ降雨初期の雨は屋根面積から算出された貯留量を許容する初期雨水貯留筒20に貯留される。満タンになるとフロート21が雨の流入を遮断し、雨水はＴ字管19と雨水管13−2を経て雨水利用部1に入る。
【００２４】
初期雨水貯留筒20には重量がかかるので樋受け18や23などで壁に緊結する。雨水利用部1に導かれた雨水は図１に示したように下筒１−２に落下する。
【００２５】
下筒１−２の底に配置された濾過フィルター5の内壁及び底面一体は濾紙が張り付く。濾過フィルター5で濾過された雨水は雨水管13−2を通り、飲料以外に使える水となり貯水タンク14に導かれる。
【００２６】
貯水タンク14は雨水を貯水する機能と雨水を利用する機能そして大雨の時の越流機能がある。越流管15は貯水タンクの上部につき、満水の手前で雨水を排水溝25に逃す。水栓24（雨水タンク用）は雨水利用のため、ここから雨水をバケツ等に取り利用する。またポンプ等でくみ上げ水洗便所に利用できる。
【００２７】
初期雨水貯留筒20は雨水を貯留後天気が回復すれば、下部の水栓22（初期雨水貯留筒用）を開栓し、雑水として庭への散水・打ち水としても利用できる。また集中豪雨、台風など雨水利用部１が処理できない大雨の場合、水栓22（初期雨水貯留筒用）を開栓し、雨水を排水溝25へ逃せる。
【００２８】
下筒1−2は濾過フィルター5を底に配置し、濾紙に定性濾紙ＮＯ２を使用することで２０ミクロン以上のゴミを吸着する。（0022）の濾材は一般的な例であり、これに亜硫酸カルシウムや備長炭の粉末や濾紙の種類を変えて雨水をさらに良質の水に高める事もできる。またその地域の降雨の特徴や周辺環境から得られる情報を元に濾材を選ぶことができる。
【産業上の利用可能性】
【００２９】
本発明は雨水を有効に利用するために用いられる雨水利用装置である。装置はプラスチック成型業界、施工は建築業界など広範囲に産業界で利用できる。
【符号の説明】
【００３０】
1. 雨水利用部
1-1 雨水利用部・上筒
1-2 雨水利用部・下筒
2. 竪どい
3. ドーム状の網
3-1 つば
3-2リング
4. 上筒受けリング
5. 濾過フィルター
5-1容器
6. 持ち手
7. サランマット
8. コーラルサンド
9. 活性炭
10. 濾過マット
11. 粒状ヤシ殻活性炭
12. 濾紙
13-1 雨水管（Ｔ字管から）
13-2 雨水管（下部筒から）
14. 貯水タンク 
15. 越流管
16. 屋根
17. 樋
18. 樋受け
19. Ｔ字管
20. 初期雨水貯留筒
21. フロート
22. 水栓（初期雨水貯留筒用）
23. 樋受け（大） 
24. 水栓（雨水タンク用）
25. 排水溝
【図１】
2011202388.tif 000003
【図２】
2011202388.tif 000004
【図３】
2011202388.tif 000005
【図４】
2011202388.tif 000006